(57)【要約】【課題】検出部を冷却した結果生じる、支柱の収縮に伴う検出部の位置ずれを、できる限り小さく抑えることができる核磁気共鳴プローブを提供する。【解決手段】磁石内に挿入される筒状部を有する真空断熱容器と、この容器内に配置される検出コイルと同調整合回路で構成される検出部とを備え、該検出部を冷却手段で冷却することにより、核磁気共鳴信号の検出感度を高めるようにした核磁気共鳴プローブにおいて、前記筒状部の上端端面または側面に前記検出部を取り付けるようにした。【選択図】  図４
2004233337.tif 000002
【特許請求の範囲】
【請求項１】
磁石内に挿入される筒状部を有する真空断熱容器と、この容器内に配置される検出コイルと同調整合回路で構成された検出部とを備え、該検出部を冷却手段で冷却することにより、核磁気共鳴信号の検出感度を高めるようにした核磁気共鳴プローブにおいて、
前記筒状部の上端端面または側面に前記検出部を取り付けるようにしたことを特徴とする核磁気共鳴プローブ。
【請求項２】
前記検出部は、中心軸に沿って試料温度可変用のガス配管を備え、そのガス配管の外側には、ボビンがガス配管と同軸状に配置され、そのボビンの外側には、検出コイルがガス配管およびボビンと同軸状に配置されていることを特徴とする請求項１記載の核磁気共鳴プローブ。
【請求項３】
前記検出部は、断熱部材を介して、前記筒状部の上端端面または側面に取り付けられていることを特徴とする請求項１または２記載の核磁気共鳴プローブ。
【請求項４】
前記検出部は、前記断熱部材の表面に施された薄いメッキを介して、アースされていることを特徴とする請求項３記載の核磁気共鳴プローブ。
【請求項５】
前記検出部は、前記断熱部材と前記真空断熱容器との間に挟まれた薄い金属箔を介して、アースされていることを特徴とする請求項３記載の核磁気共鳴プローブ。
【請求項６】
前記検出部は、低温ヘリウムガスで冷却されることを特徴とする請求項１ないし５のいずれか１つに記載の核磁気共鳴プローブ。
【請求項７】
前記冷却手段は、冷媒を流すための配管を備え、その配管の少なくとも一部には、弾性部、または可動部が設けられていることを特徴とする請求項１ないし６のいずれか１つに記載の核磁気共鳴プローブ。
【請求項８】
前記検出部は、真空断熱容器に固着された支柱によって支えられており、その支柱の少なくとも一部には、熱収縮時の支柱に加わる張力や歪力を吸収する弾性部、または可動部が設けられていることを特徴とする請求項１ないし７のいずれか１つに記載の核磁気共鳴プローブ。
【請求項９】
前記検出部は、真空断熱容器に固着された支柱によって支えられており、その支柱は、室温付近に温度制御されたガスが流れるガス配管と熱接触され、熱収縮を回避する構造になっていることを特徴とする請求項１ないし８のいずれか１つに記載の核磁気共鳴プローブ。
【請求項１０】
磁石内に挿入される筒状部を有する真空断熱容器と、この容器内に配置される検出コイルと同調整合回路で構成された検出部とを備え、該検出部を冷却手段で冷却することにより、核磁気共鳴信号の検出感度を高めるようにした核磁気共鳴プローブにおいて、
前記冷却手段は、真空断熱容器の下端面に固着された支柱を備え、その支柱は、室温付近に温度制御されたガスが流れるガス配管と熱接触され、熱収縮を回避する構造になっていることを特徴とする核磁気共鳴プローブ。
【発明の詳細な説明】
【技術分野】
【０００１】
本発明は、核磁気共鳴プローブに関し、特に、検出部を低温ヘリウムガスで極低温に冷却することによって、核磁気共鳴信号の検出感度を高めるようにした核磁気共鳴プローブに関する。
【背景技術】
【０００２】
核磁気共鳴装置は、試料に強力な静磁場を印加して、試料中の核スピンを持った原子核の磁気モーメントに静磁場方向を軸とする歳差運動を惹起させた上で、静磁場方向に直交する向きの高周波磁場を印加して、原子核の磁気モーメントの歳差運動を励起し、その後、原子核の磁気モーメントの歳差運動が励起状態から基底状態に戻る際に放出される核磁気共鳴信号を、試料に固有な高周波磁界として観測する装置である。
【０００３】
核磁気共鳴信号は、通常、きわめて微弱であるため、その検出感度を高めるため、検出部が組み込まれた核磁気共鳴プローブに低温ガスの配管を設け、検出部を極低温に冷却することによって、核磁気共鳴装置の熱雑音を減らし、核磁気共鳴装置を高感度化することが行なわれている（特許文献１〜３）。
【０００４】
従来の核磁気共鳴プローブと、静磁場を発生する超伝導磁石との位置関係を、図１に示す。図中、Ａは超伝導磁石である。超伝導磁石Ａの内部には、超伝導線により、主コイルＢが巻回されている。主コイルＢは、通常、液体ヘリウム等を蓄えることができる図示しない断熱容器中に置かれ、極低温に冷却されている。核磁気共鳴プローブＣは、このような磁石の外側に配置される鍔状のベース部４０と、磁石の内側に挿入される筒状部４１とで構成され、筒状部４１は、通常、この超伝導磁石Ａの中心軸に沿って貫通された筒状の穴Ｄの内部に向けて、下側の開口部から上方向に向けて挿入される。
【０００５】
次に、従来の核磁気共鳴プローブの構造を図２に示す。図中１３は、核磁気共鳴プローブの形に合わせて、磁石の外側に配置される鍔状のベース部４０と、磁石の内側に挿入される筒状部４１とで構成される真空断熱容器である。真空断熱容器１３内において、一端が真空断熱容器１３の下端面に固定された支柱５で支えられた冷却器８に、検出コイル２および同調整合回路３で構成される検出部１が熱接触され、固定されている。検出コイル２は、筒状のボビン１５の外周に沿って巻回され、検出コイル２の検出中心１１は、図示しない超伝導磁石などから印加される外部静磁場の、磁場均一性が最も良い位置にセットされている。
【０００６】
冷却器８には、例えば低温ヘリウムガスなどの低温冷媒を注入／排出するためのトランスファー・ライン７、配管４から成る断熱配管が接続されている。
【０００７】
検出コイル２が巻回された筒状のボビン１５の中心軸に沿って、真空断熱容器１３の壁と交わる位置をＯリング３０などで真空シールされた、試料温度可変用のガス配管６が貫通させてある。すなわち、試料温度可変用のガス配管６の外側には、ボビン１５が、ガス配管６と同軸状に配置され、ボビン１５の外側には、検出コイル２が、ガス配管６およびボビン１５と同軸状に配置されている。試料温度可変用のガスは、ガス配管６の内側を、下から上方向に向けて送風される。
【０００８】
測定用試料１４が入った試料管１２は、試料温度可変用のガス配管６の更に内側へ、上方向から下向きに、試料１４の中心が検出コイル２の検出中心１１と一致するように、ガス配管６と同軸状に挿入されている。
【０００９】
このような構成において、例えば低温ヘリウムガスなどの低温冷媒を、外部から、トランスファー・ライン７、配管４を経由させて、冷却器８に注入し、検出部１の検出コイル２と同調整合回路３を冷却する。これにより、検出コイル２のＱ値を向上させるとともに、検出コイル２と同調整合回路３の熱雑音を低減させ、核磁気共鳴装置の感度を向上させる。また、同時に、試料温度可変用のガス配管６に、下部から温度制御されたガス（ＶＴガス）を注入して、試料１４の温度を適切な温度に維持する。
【００１０】
【特許文献１】特開平１０−３０７１７５号公報
【特許文献２】特開平１０−３３２８０１号公報
【特許文献３】特開２００１−１５３９３８号公報
【発明の開示】
【発明が解決しようとする課題】
【００１１】
ところで、従来の低温冷却型核磁気共鳴プローブには、１つの問題点があった。それは、図３に示すように、検出コイル２の中心１１が、支柱５の冷却による収縮により、位置１１’に下がってしまうことであった。そのため、静磁場の最も均一性の高い部分から検出コイル２の位置が外れ、静磁場の均一性が低下して、スペクトルの分解能が劣化してしまうという問題が発生していた。このような位置ずれは、真空断熱容器１３内部が熱平衡状態になるまで、十分に時間が経過するのを待って補正する必要があるので、調整作業に時間がかかり、再現性も悪かった。
【００１２】
本発明の目的は、上述した点に鑑み、検出部を冷却した結果生じる、支柱の収縮に伴う検出部の位置ずれを、できる限り小さく抑えることができる核磁気共鳴プローブを提供することにある。
【課題を解決するための手段】
【００１３】
この目的を達成するため、本発明にかかる核磁気共鳴プローブは、
磁石内に挿入される筒状部を有する真空断熱容器と、この容器内に配置される検出コイルと同調整合回路で構成された検出部とを備え、該検出部を冷却手段で冷却することにより、核磁気共鳴信号の検出感度を高めるようにした核磁気共鳴プローブにおいて、
前記筒状部の上端端面または側面に前記検出部を取り付けるようにしたことを特徴としている。
【００１４】
また、前記検出部は、中心軸に沿って試料温度可変用のガス配管を備え、そのガス配管の外側には、ボビンがガス配管と同軸状に配置され、そのボビンの外側には、検出コイルがガス配管およびボビンと同軸状に配置されていることを特徴としている。
【００１５】
また、前記検出部は、断熱部材を介して、前記筒状部の上端端面または側面に取り付けられていることを特徴としている。
【００１６】
また、前記検出部は、前記断熱部材の表面に施された薄いメッキを介して、アースされていることを特徴としている。
【００１７】
また、前記検出部は、前記断熱部材と前記真空断熱容器との間に挟まれた薄い金属箔を介して、アースされていることを特徴としている。
【００１８】
また、前記検出部は、低温ヘリウムガスで冷却されることを特徴としている。
【００１９】
また、前記冷却手段は、冷媒を流すための配管を備え、その配管の少なくとも一部には、弾性部、または可動部が設けられていることを特徴としている。
【００２０】
また、前記検出部は、真空断熱容器に固着された支柱によって支えられており、その支柱の少なくとも一部には、熱収縮時の支柱に加わる張力や歪力を吸収する弾性部、または可動部が設けられていることを特徴としている。
【００２１】
また、前記検出部は、真空断熱容器に固着された支柱によって支えられており、その支柱は、室温付近に温度制御されたガスが流れるガス配管と熱接触され、熱収縮を回避する構造になっていることを特徴としている。
【００２２】
また、磁石内に挿入される筒状部を有する真空断熱容器と、この容器内に配置される検出コイルと同調整合回路で構成された検出部とを備え、該検出部を冷却手段で冷却することにより、核磁気共鳴信号の検出感度を高めるようにした核磁気共鳴プローブにおいて、
前記冷却手段は、真空断熱容器の下端面に固着された支柱を備え、その支柱は、室温付近に温度制御されたガスが流れるガス配管と熱接触され、熱収縮を回避する構造になっていることを特徴としている。
【発明の効果】
【００２３】
本発明の核磁気共鳴プローブによれば、磁石内に挿入される筒状部を有する真空断熱容器と、この容器内に配置される検出コイルと同調整合回路で構成された検出部とを備え、該検出部を冷却手段で冷却することにより、核磁気共鳴信号の検出感度を高めるようにした核磁気共鳴プローブにおいて、前記筒状部の上端端面または側面に前記検出部を取り付けるようにするので、検出部を冷却した結果生じる、支柱の収縮に伴う検出部の位置ずれを、できる限り小さく抑えることが可能になる。その結果、核磁気共鳴測定の分解能調整作業が簡略化でき、再現性も向上する。
【発明を実施するための最良の形態】
【００２４】
以下、図面を参照して、本発明の実施の形態を説明する。図４は、本発明にかかる核磁気共鳴プローブの一実施例を表わしたものである。
【００２５】
図中１３は、核磁気共鳴プローブの形に合わせて、磁石の外側に配置される鍔状のベース部４０と、磁石の内側に挿入される筒状部４１とで構成される真空断熱容器である。真空断熱容器１３内では、真空断熱容器１３の下端面に固着された支柱１７で支えられた冷却器８に、検出コイル２および同調整合回路３で構成される検出部１が熱接触され、固定されている。この例では、支柱１７は、中空円筒の形状を持ち、台座１９により、真空断熱容器１３内に立てられている。尚、支柱１７の形状は、必ずしも中空円筒型である必要はない。また、上記例では、検出部１は、冷却器８を介して支柱１７により支えられているが、これは、冷却器８を介することなく、検出部１が、直接、支柱１７によって支えられていても良い。
【００２６】
一方、検出部１は、断熱部材２０を間に挟んで、固定部品２１で真空断熱容器１３の筒状部４１の上端端面にも固定されている。断熱部材２０の表面は、熱伝導が十分小さく維持できるように、ごく薄いメッキ処理が施されている。これにより、真空断熱容器１３を予め接地電位に設定しておけば、十分に断熱された状態で、検出部１をアースに落とせ、検出部１は電気的に安定する。尚、メッキの代わりに、ごく薄い金属箔を挟んでも良い。また、検出部１は、断熱部材を間に挟んで、真空断熱容器１３の筒状部４１の側面に固定されていても良いし、断熱部材２０の形状自体には、さまざまな変形が可能である。例えば、筒状部４１の上端端面から釣り下げる形にしても良い。
【００２７】
また、検出部１に実装される検出コイル２は、筒状のボビン１５の外周に沿って巻回され、検出コイル２の検出中心１１は、図示しない超伝導磁石などから印加される外部静磁場の、磁場均一性が最も良い位置にセットされている。
【００２８】
冷却器８には、例えば低温ヘリウムガスなどの低温冷媒を注入／排出するためのトランスファー・ライン７、配管４から成る断熱配管が接続されている。
【００２９】
検出コイル２が巻回された筒状のボビン１５の中心軸に沿って、真空断熱容器１３の壁と交わる位置をＯリング３０などで真空シールされた、試料温度可変用のガス配管６が貫通させてある。すなわち、試料温度可変用のガス配管６の外側には、ボビン１５が、ガス配管６と同軸状に配置され、ボビン１５の外側には、検出コイル２が、ガス配管６およびボビン１５と同軸状に配置されている。試料温度可変用のガスは、ガス配管６の内側を、下から上方向に向けて送風される。
【００３０】
測定用試料１４が入った試料管１２は、試料温度可変用のガス配管６の更に内側へ、上方向から下向きに、試料１４の中心が検出コイル２の検出中心１１と一致するように、ガス配管６と同軸状に挿入されている。
【００３１】
検出コイル２は、同調整合回路３を経由して、ケーブル９により、真空断熱容器１３の外側に設けられたコネクター１０で図示しない分光器と接続される。また、支柱１７と配管４の途中には、弾性を持たせた伸縮部（可動部）１６および１８が、それぞれ設けられている。
【００３２】
このような構成において、例えば低温ヘリウムガスなどの低温冷媒を、外部から、トランスファー・ライン７、配管４を経由させて、冷却器８に注入し、検出部１の検出コイル２と同調整合回路３を冷却する。これにより、検出コイル２のＱ値を向上させるとともに、検出コイル２と同調整合回路３の熱雑音を低減させ、核磁気共鳴装置の感度を向上させる。また、同時に、試料温度可変用のガス配管６に、下部から温度制御されたガス（ＶＴガス）を注入して、試料１４の温度を適切な温度に維持する。
【００３３】
検出部１は、断熱部材２０を挟んで、検出部１が設置される位置により近い側の断熱真空容器１３の端面、すなわち、筒状部４１の上端端面側（あるいは、筒状部４１の側面側でも良い）に固定されている。断熱部材２０や検出部１の長さは、図１で示した従来の支柱５の長さに比べて十分に短いので、断熱部材２０や検出部１が冷却によって熱収縮しても、検出コイル２の検出中心１１の位置の変移は極めて小さい。その結果、冷却器８が検出部１を極低温まで冷却しても、検出コイル２の検出中心１１が、静磁場の最も均一性の高い部分から、外れてしまうことはない。
【００３４】
また、支柱１７と配管４に加わる熱収縮による張力や歪力は、途中に設けた弾性を有する伸縮部１６および１８が伸び縮みすることによって緩和されるので、支柱１７と配管４に強い張力や歪力がかかることもない。その結果、検出部１に実装された検出コイル２は、断熱真空容器１３内で、最適な位置を保つことができる。尚、伸縮部（可動部）１６および１８は、ベローズなどに置き換えても良い。
【００３５】
図５は、本発明にかかる核磁気共鳴プローブの別の実施例を表わしたものである。図中１３は、核磁気共鳴プローブの形に合わせて、磁石の外側に配置される鍔状のベース部４０と、磁石の内側に挿入される筒状部４１とで構成される真空断熱容器である。真空断熱容器１３内に設けられた、真空断熱容器１３の下端面に固着された台座１９の上には、支柱２４が立てられている。この支柱２４に取り付けられた断熱材料２３にピン２２を立てて、ピン２２を冷却器８の凹部に差し込む構造とする。冷却器８から上の部分が上下に動いても支障がないように、冷却器８と断熱材料２３の間には、幅が変化できる隙間（可動部）２５が設けられている。また、検出コイル２および同調整合回路３で構成される検出部１は、冷却器８に熱接触され、固定されている。
【００３６】
一方、検出部１は、断熱部材２０を間に挟んで、固定部品２１で真空断熱容器１３の筒状部４１の上端端面にも固定されている。断熱部材２０の表面は、熱伝導が十分小さく維持できるように、ごく薄いメッキ処理が施されている。これにより、真空断熱容器１３を予め接地電位に設定しておけば、十分に断熱された状態で、検出部１をアースに落とせ、検出部１は電気的に安定する。尚、メッキの代わりに、ごく薄い金属箔を挟んでも良い。また、検出部１は、断熱部材を間に挟んで、真空断熱容器１３の筒状部４１の側面に固定されていても良いし、断熱部材２０の形状自体には、さまざまな変形が可能である。例えば、筒状部４１の上端端面から釣り下げる形にしても良い。
【００３７】
また、検出部１に実装される検出コイル２は、筒状のボビン１５の外周に沿って巻回され、検出コイル２の検出中心１１は、図示しない超伝導磁石などから印加される外部静磁場の、磁場均一性が最も良い位置にセットされている。
【００３８】
冷却器８には、例えば低温ヘリウムガスなどの低温冷媒を注入／排出するためのトランスファー・ライン７、配管４から成る断熱配管が接続されている。
【００３９】
検出コイル２が巻回された筒状のボビン１５の中心軸に沿って、真空断熱容器１３の壁と交わる位置をＯリング３０などで真空シールされた、試料温度可変用のガス配管６が貫通させてある。すなわち、試料温度可変用のガス配管６の外側には、ボビン１５が、ガス配管６と同軸状に配置され、ボビン１５の外側には、検出コイル２が、ガス配管６およびボビン１５と同軸状に配置されている。試料温度可変用のガスは、ガス配管６の内側を、下から上方向に向けて送風される。
【００４０】
測定用試料１４が入った試料管１２は、試料温度可変用のガス配管６の更に内側へ、上方向から下向きに、試料１４の中心が検出コイル２の検出中心１１と一致するように、ガス配管６と同軸状に挿入されている。
【００４１】
検出コイル２は、同調整合回路３を経由して、ケーブル９により、真空断熱容器１３の外側に設けられたコネクター１０で図示しない分光器と接続される。また、配管４の途中には、弾性を持たせた伸縮部（可動部）１６が設けられている。
【００４２】
このような構成において、例えば低温ヘリウムガスなどの低温冷媒を、外部から、トランスファー・ライン７、配管４を経由させて、冷却器８に注入し、検出部１の検出コイル２と同調整合回路３を冷却する。これにより、検出コイル２のＱ値を向上させるとともに、検出コイル２と同調整合回路３の熱雑音を低減させ、核磁気共鳴装置の感度を向上させる。また、同時に、試料温度可変用のガス配管６に、下部から温度制御されたガス（ＶＴガス）を注入して、試料１４の温度を適切な温度に維持する。
【００４３】
検出部１は、断熱部材２０を挟んで、検出部１が設置される位置により近い側の断熱真空容器１３の端面、すなわち、筒状部４１の上端端面側（あるいは、筒状部４１の側面側でも良い）に固定されている。断熱部材２０や検出部１の長さは、図１で示した従来の支柱５の長さに比べて十分に短いので、断熱部材２０や検出部１が冷却によって熱収縮しても、検出コイル２の検出中心１１の位置の変移は極めて小さい。その結果、冷却器８が検出部１を極低温まで冷却しても、検出コイル２の検出中心１１が、静磁場の最も均一性の高い部分から、外れてしまうことはない。
【００４４】
また、配管４に加わる熱収縮による張力や歪力は、途中に設けた弾性を有する伸縮部（可動部）１６によって緩和されるので、配管４に強い張力や歪力がかかることもない。その結果、検出部１に実装された検出コイル２は、断熱真空容器１３内で、最適な位置を保つことができる。また、冷却に伴って起きる支柱２４などの熱収縮は、断熱材料２３と冷却器８との間に隙間（可動部）２５を設け、断熱材料２３に立てたピン２２に、冷却器８の凹部を摺動させることにより、吸収させることができる。
【００４５】
図６は、本発明にかかる核磁気共鳴プローブの別の実施例を表わしたものである。図中１３は、核磁気共鳴プローブの形に合わせて、磁石の外側に配置される鍔状のベース部４０と、磁石の内側に挿入される筒状部４１とで構成される真空断熱容器である。真空断熱容器１３内では、断熱材料２７を挟んで、真空断熱容器１３の下端面に固着された支柱２４で支えられた冷却器８に、検出コイル２および同調整合回路３で構成される検出部１が熱接触され、固定されている。この例では、支柱２４は、ほぼ室温に近い温度制御ガス（ＶＴガス）が流れるガス配管６と熱接触されており、ほぼ室温に近い温度を保つことができる構成になっている。この支柱２４は、台座２８により、真空断熱容器１３内に立てられている。尚、上記例では、検出部１は、冷却器８を介して支柱２４により支えられているが、これは、冷却器８を介することなく、検出部１が、直接、支柱２４によって支えられていても良い。
【００４６】
一方、検出部１は、断熱部材２０を間に挟んで、固定部品２１で真空断熱容器１３の筒状部４１の上端端面にも固定されている。断熱部材２０の表面は、熱伝導が十分小さく維持できるように、ごく薄いメッキ処理が施されている。これにより、真空断熱容器１３を予め接地電位に設定しておけば、十分に断熱された状態で、検出部１をアースに落とせ、検出部１は電気的に安定する。尚、メッキの代わりに、ごく薄い金属箔を挟んでも良い。また、検出部１は、断熱部材を間に挟んで、真空断熱容器１３の筒状部４１の側面に固定されていても良いし、断熱部材２０の形状自体には、さまざまな変形が可能である。例えば、筒状部４１の上端端面から釣り下げる形にしても良い。
【００４７】
また、検出部１に実装される検出コイル２は、筒状のボビン１５の外周に沿って巻回され、検出コイル２の検出中心１１は、図示しない超伝導磁石などから印加される外部静磁場の、磁場均一性が最も良い位置にセットされている。
【００４８】
冷却器８には、例えば低温ヘリウムガスなどの低温冷媒を注入／排出するためのトランスファー・ライン７、配管４から成る断熱配管が接続されている。
【００４９】
検出コイル２が巻回された筒状のボビン１５の中心軸に沿って、真空断熱容器１３の壁と交わる位置をＯリング３０などで真空シールされた、試料温度可変用のガス配管６が貫通させてある。すなわち、試料温度可変用のガス配管６の外側には、ボビン１５が、ガス配管６と同軸状に配置され、ボビン１５の外側には、検出コイル２が、ガス配管６およびボビン１５と同軸状に配置されている。試料温度可変用のガスは、ガス配管６の内側を、下から上方向に向けて送風される。
【００５０】
測定用試料１４が入った試料管１２は、試料温度可変用のガス配管６の更に内側へ、上方向から下向きに、試料１４の中心が検出コイル２の検出中心１１と一致するように、ガス配管６と同軸状に挿入されている。
【００５１】
検出コイル２は、同調整合回路３を経由して、ケーブル９により、真空断熱容器１３の外側に設けられたコネクター１０で図示しない分光器と接続される。また、配管４の途中には、弾性を持たせた伸縮部（可動部）１６が設けられている。
【００５２】
このような構成において、例えば低温ヘリウムガスなどの低温冷媒を、外部から、トランスファー・ライン７、配管４を経由させて、冷却器８に注入し、検出部１の検出コイル２と同調整合回路３を冷却する。これにより、検出コイル２のＱ値を向上させるとともに、検出コイル２と同調整合回路３の熱雑音を低減させ、核磁気共鳴装置の感度を向上させる。また、同時に、試料温度可変用のガス配管６に、下部から温度制御されたガス（ＶＴガス）を注入して、試料１４の温度を適切な温度に維持する。
【００５３】
検出部１は、断熱部材２０を挟んで、検出部１が設置される位置により近い側の断熱真空容器１３の端面、すなわち、筒状部４１の上端端面側（あるいは、筒状部４１の側面側でも良い）に固定されている。断熱部材２０や検出部１の長さは、図１で示した従来の支柱５の長さに比べて十分に短いので、断熱部材２０や検出部１が冷却によって熱収縮しても、検出コイル２の検出中心１１の位置の変移は極めて小さい。その結果、冷却器８が検出部１を極低温まで冷却しても、検出コイル２の検出中心１１が、静磁場の最も均一性の高い部分から、外れてしまうことはない。
【００５４】
また、支柱２４は、冷却器８とは断熱材料２７を介して断熱されており、室温付近に温度制御されたガスが流れるガス配管６とは熱接触部位２６で熱接触されているため、ほぼ室温に保たれ、極低温に冷やされたときのような熱収縮は起こらない。一方、配管４に加わる熱収縮による張力は、途中に設けた弾性を有する伸縮部１６が伸び縮みすることによって緩和されるので、配管４に強い歪力がかかることもない。その結果、検出部１に実装された検出コイル２は、断熱真空容器１３内で、最適な位置を保つことができる。
【００５５】
尚、この例では、検出部１を真空断熱容器１３の上端端面に固定しなくても、検出部１を真空断熱容器１３の上端端面に固定した場合と、同じ効果が得られることは、言うまでもない。
【産業上の利用可能性】
【００５６】
検出部を低温ヘリウムガスで極低温に冷却することによって、核磁気共鳴信号の検出感度を高めるようにした核磁気共鳴プローブに、広く利用できる。
【図面の簡単な説明】
【００５７】
【図１】従来の核磁気共鳴装置を示す図である。
【図２】従来の核磁気共鳴プローブを示す図である。
【図３】従来の核磁気共鳴プローブを示す図である。
【図４】本発明にかかる核磁気共鳴プローブの一実施例を示す図である。
【図５】本発明にかかる核磁気共鳴プローブの別の実施例を示す図である。
【図６】本発明にかかる核磁気共鳴プローブの別の実施例を示す図である。
【符号の説明】
【００５８】
Ａ：超伝導磁石、Ｂ：主コイル、Ｃ：核磁気共鳴プローブ、Ｄ：穴、１：検出部、２：検出コイル、３：同調整合回路、４：配管、５：支柱、６：ガス配管、７：トランスファー・ライン、８：冷却器、９：ケーブル、１０：コネクター、１１：検出中心、１１’：検出中心、１２：試料管、１３：真空断熱容器、１４：試料、１５：ボビン、１６：伸縮部（可動部）、１７：支柱、１８：伸縮部（可動部）、１９：台座、２０：断熱部材、２１：固定部品、２２：ピン、２３：断熱材料、２４：支柱、２５：隙間（可動部）、２６：熱接触部位、２７：断熱材料、２８：台座、３０：Ｏリング、４０：ベース部、４１：筒状部
【図１】
2004233337.tif 000003
【図２】
2004233337.tif 000004
【図３】
2004233337.tif 000005
【図４】
2004233337.tif 000006
【図５】
2004233337.tif 000007
【図６】
2004233337.tif 000008